(57)【要約】【課題】ユーザーに面倒であると感じさせることなく、接続先を切り替え可能とすること。【解決手段】再生システム１は、ヘッドホン装置３とスピーカー装置２とを備える。ヘッドホン装置３は、自装置３の着脱を検出するセンサーと、ＣＰＵと、を有する。ＣＰＵは、センサーが、ヘッドホン装置３の取り付けを検出した場合、取り付けの旨と、ヘッドホン装置３がペアリング済のスマートフォン４のアドレスと、をアドバタイズする。スピーカー装置２は、ＣＰＵを有する。ＣＰＵは、ヘッドホン装置３から、取り付けの旨と、ヘッドホン装置３がペアリング済のスマートフォン４のアドレスと、を受信し、受信したスマートフォン４のアドレスと接続しているスマートフォン４のアドレスとが同じである場合、BT機能をオフとする。【選択図】図３
2020184680.tif 000002
【特許請求の範囲】
【請求項１】
自装置の着脱を検出するセンサーと、
第１制御部と、を備え、
前記第１制御部は、前記センサーが、自装置の取り付けを検出した場合、取り付けの旨と、自装置がペアリング済の機器のアドレスと、をアドバタイズすることを特徴とする再生装置。
【請求項２】
前記第１制御部は、アドバタイズ後、無線通信機能をオンとすることを特徴とする請求項１に記載の再生装置。
【請求項３】
前記第１制御部は、アドバタイズ後、他の再生装置から、再生していた旨と、再生装置のアドレスと、接続していた機器のアドレスと、を受信した場合、無線通信機能をオンとすることを特徴とする請求項２に記載の再生装置。
【請求項４】
前記第１制御部は、無線通信機能をオンとした後、機器と接続し、機器から送信される音声を再生することを特徴とする請求項３に記載の再生装置。
【請求項５】
前記第１制御部は、前記センサーが、自装置の取り外しを検出した場合、取り外しの旨と、他の再生装置から受信した他の再生装置のアドレスと、接続していた機器のアドレスと、をアドバタイズすることを特徴とする請求項１〜４のいずれか１項に記載の再生装置。
【請求項６】
前記第１制御部は、アドバタイズ後、無線通信機能をオフとすることを特徴とする請求項５に記載の再生装置。
【請求項７】
第２制御部を備え、
前記第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとすることを特徴とする再生装置。
【請求項８】
前記第２制御部は、無線通信機能をオフした後、再生していた旨と、自装置のアドレスと、接続していた機器のアドレスと、をアドバタイズすることを特徴とする請求項７に記載の再生装置。
【請求項９】
前記第２制御部は、他の再生装置から、取り外しの旨と、自装置のアドレスと、接続していた機器のアドレスと、を受信した場合、無線通信機能をオンとすることを特徴とする請求項７又は８に記載の再生装置。
【請求項１０】
前記第２制御部は、無線通信機能をオンとした後、機器と接続し、機器から送信される音声を再生することを特徴とする請求項９に記載の再生装置。
【請求項１１】
自装置の着脱を検出するセンサーと、
第１制御部と、を有し、
前記第１制御部は、前記センサーが、自装置の取り付けを検出した場合、取り付けの旨と、自装置がペアリング済の機器のアドレスと、をアドバタイズする第１再生装置と、
第２制御部を有し、
前記第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとする第２再生装置と、を備えることを特徴とする再生システム。
【発明の詳細な説明】
【技術分野】
【０００１】
本発明は、スピーカー装置、ヘッドホン装置等の再生装置、及び、再生システムに関する。
【背景技術】
【０００２】
スマートフォン等の携帯型音楽再生装置は、例えば、家の中では、Bluetooth（登録商標）により、スピーカー装置に無線接続される。そして、携帯型音楽再生装置から、音楽データが、スピーカー装置に送信され、スピーカー装置から、音楽が出力される。ユーザーは、家から外出するとき、携帯型音楽再生装置の接続を、ヘッドホン装置に切り替えたい場合、携帯型音楽再生装置を操作して、接続先を切り替える必要がある。なお、特許文献１には、利用者がヘッドホンを頭部から取り外すと、オーディオデータの出力先が、スピーカーに切り替わる技術が開示されている。
【先行技術文献】
【特許文献】
【０００３】
【特許文献１】特開２００４−１２０６５２号公報
【発明の概要】
【発明が解決しようとする課題】
【０００４】
上述したように、ユーザーは、接続先を切り替える場合、操作を行う必要があり、面倒であるという問題があった。
【０００５】
本発明の目的は、ユーザーに面倒であると感じさせることなく、接続先を切り替え可能とすることである。
【課題を解決するための手段】
【０００６】
第１の発明の再生装置は、自装置の着脱を検出するセンサーと、第１制御部と、を備え、前記第１制御部は、前記センサーが、自装置の取り付けを検出した場合、取り付けの旨と、自装置がペアリング済の機器のアドレスと、をアドバタイズすることを特徴とする。
【０００７】
本発明では、第１制御部は、センサーが、自装置の取り付けを検出した場合、取り付けの旨と、自装置がペアリング済の機器のアドレスと、をアドバタイズする。従って、取り付けの旨と、再生装置がペアリング済の機器のアドレスと、を受信した他の再生装置は、受信したアドレスと、アドレスが同じ機器との接続を解除することができる。これにより、再生装置は、ペアリング済の機器と接続を行うことができる。このため、ユーザーに面倒であると感じさせることなく、接続先を切り替えることができる。
【０００８】
第２の発明の再生装置は、第１の発明の再生装置において、前記第１制御部は、アドバタイズ後、無線通信機能をオンとすることを特徴とする。
【０００９】
本発明では、第１制御部は、アドバタイズ後、無線通信機能をオンとする。これにより、ペアリング済の機器と接続することができる。
【００１０】
第３の発明の再生装置は、第２の発明の再生装置において、前記第１制御部は、アドバタイズ後、他の再生装置から、再生していた旨と、再生装置のアドレスと、接続していた機器のアドレスと、を受信した場合、無線通信機能をオンとすることを特徴とする。
【００１１】
第４の発明の再生装置は、第３の発明の再生装置において、前記第１制御部は、無線通信機能をオンとした後、機器と接続し、機器から送信される音声を再生することを特徴とする。
【００１２】
第５の発明の再生装置は、第１〜第４のいずれかの発明の再生装置において、前記第１制御部は、前記センサーが、自装置の取り外しを検出した場合、取り外しの旨と、他の再生装置から受信した他の再生装置のアドレスと、接続していた機器のアドレスと、をアドバタイズすることを特徴とする。
【００１３】
本発明では、第１制御部は、センサーが、自装置の取り外しを検出した場合、取り外しの旨と、他の再生装置から受信した他の再生装置のアドレスと、接続していた機器のアドレスと、をアドバタイズする。従って、取り外しの旨と、他の再生装置から受信した他の再生装置のアドレスと、接続していた機器のアドレスと、を受信した他の再生装置は、自装置のアドレスと受信した再生装置のアドレスとが同じであり、自装置がペアリング済の機器のアドレスと受信した機器のアドレスが同じであれば、ペアリング済の機器と接続を行うことができる。このため、ユーザーに面倒であると感じさせることなく、接続先を切り替えることができる。
【００１４】
第６の発明の再生装置は、第５の発明の再生装置において、前記第１制御部は、アドバタイズ後、無線通信機能をオフとすることを特徴とする。
【００１５】
第７の発明の再生装置は、第２制御部を備え、前記第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとすることを特徴とする。
【００１６】
本発明では、第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとする。これにより、他の再生装置は、ペアリング済の機器と接続を行うことができる。このため、ユーザーに面倒であると感じさせることなく、接続先を切り替えることができる。
【００１７】
第８の発明の再生装置は、第７の発明の再生装置において、前記第２制御部は、無線通信機能をオフした後、再生していた旨と、自装置のアドレスと、接続していた機器のアドレスと、をアドバタイズすることを特徴とする。
【００１８】
第９の発明の再生装置は、第７又は第８の発明の再生装置において、前記第２制御部は、他の再生装置から、取り外しの旨と、自装置のアドレスと、接続していた機器のアドレスと、を受信した場合、無線通信機能をオンとすることを特徴とする。
【００１９】
第１０の発明の再生装置は、第９の発明の再生装置において、前記第２制御部は、無線通信機能をオンとした後、機器と接続し、機器から送信される音声を再生することを特徴とする。
【００２０】
第１１の発明の再生システムは、自装置の着脱を検出するセンサーと、第１制御部と、を有し、前記第１制御部は、前記センサーが、自装置の取り付けを検出した場合、取り付けの旨と、自装置がペアリング済の機器のアドレスと、をアドバタイズする第１再生装置と、第２制御部を有し、前記第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとする第２再生装置と、を備えることを特徴とする。
【００２１】
本発明では、第１再生装置の第１制御部は、センサーが、自装置の取り付けを検出した場合、取り付けの旨と、自装置がペアリング済の機器のアドレスと、をアドバタイズする。また、第２再生装置の第２制御部は、他の再生装置から、取り付けの旨と、他の再生装置がペアリング済の機器のアドレスと、を受信し、受信した機器のアドレスと接続している機器のアドレスとが同じである場合、無線通信機能をオフとする。これにより、第１再生装置は、第２再生装置との接続が解除された、ペアリング済の機器と接続を行うことができる。このため、ユーザーに面倒であると感じさせることなく、接続先を切り替えることができる。
【発明の効果】
【００２２】
本発明によれば、ユーザーに面倒であると感じさせることなく、接続先を切り替えることができる。
【図面の簡単な説明】
【００２３】
【図１】本発明の実施形態に係る再生システムの概要を示す図である。
【図２】再生システムの概要を示す図である。
【図３】再生システムの概要を示す図である。
【図４】再生システムの概要を示す図である。
【図５】ヘッドホン装置の処理動作を示すフローチャートである。
【図６】スピーカー装置の処理動作を示すフローチャートである。
【発明を実施するための形態】
【００２４】
以下、本発明の実施形態について説明する。図１は、本発明の実施形態に係る再生システム１の概要を示す図である。図１に示すように、再生システム１は、スピーカー装置２と、ヘッドホン装置３と、を備える。
【００２５】
スピーカー装置２（第２再生装置）は、ＣＰＵ（Central Processing Unit）、Ｄ／Ａコンバーター（以下、「ＤＡＣ」という。）、増幅器、スピーカーユニット、無線モジュール等を備える。ＣＰＵ（第２制御部）は、スピーカー装置２を構成する各部を制御する。ＤＡＣは、デジタル音声信号を、アナログ音声信号に、Ｄ／Ａ変換する。増幅器は、ＤＡＣによりＤ／Ａ変換されたアナログ音声信号を、増幅する。スピーカーユニットは、増幅器によって増幅されたアナログ音声信号に基づいて、音声を出力する。無線モジュールは、Bluetooth（登録商標）（以下、「BT」という。）規格に基づいて、BT通信（無線通信）を行う。
【００２６】
ヘッドホン装置３（第１再生装置）は、ＣＰＵ、ＤＡＣ、増幅器、スピーカーユニット、無線モジュール、センサー等を備える。ＣＰＵ（第１制御部）は、ヘッドホン装置３を構成する各部を制御する。ＤＡＣは、デジタル音声信号を、アナログ音声信号に、Ｄ／Ａ変換する。増幅器は、ＤＡＣによりＤ／Ａ変換されたアナログ音声信号を、増幅する。スピーカーユニットは、増幅器によって増幅されたアナログ音声信号に基づいて、音声を出力する。無線モジュールは、BT規格に基づいて、BT通信を行う。センサーは、ヘッドホン装置３の着脱を検出する。センサーは、例えば、近接センサーであり、ヘッドホン装置３のユーザーの頭部への取り付けを検出する。また、センサーは、ヘッドホン装置３のユーザーの頭部からの取り外しを検出する。なお、センサーは、ヘッドホン装置３の着脱を検出可能であれば、近接センサーに限られず、他のセンサーであってもよい。
【００２７】
スマートフォン４（機器）は、スピーカー装置２、及び、ヘッドホン装置３と、BT通信を行う。スマートフォン４は、スピーカー装置２、及び、ヘッドホン装置３と、ペアリングされている。まず、スマートフォン４とスピーカー装置２とが、BT接続されており、スマートフォン４からスピーカー装置２に音声データが送信され、スピーカー装置２が、音声を再生しているとする。
【００２８】
図２に示すように、ヘッドホン装置３がユーザーの頭部に取り付けられた場合、ヘッドホン装置３のセンサーは、ヘッドホン装置３のユーザーの頭部への取り付けを検出する。センサーがヘッドホン装置３のユーザーの頭部への取り付けを検出すると、ヘッドホン装置３のＣＰＵは、取り付けの旨と、ペアリング済のスマートフォン４のアドレスと、をBT Low Energy（BLE）のアドバタイズで通知する。
【００２９】
スピーカー装置２のＣＰＵは、常時、アドバタイズを検出している。ＣＰＵは、取り付けの旨と、ヘッドホン装置３がペアリング済のスマートフォン４のアドレスと、を受信し、受信したスマートフォン４のアドレスと接続しているスマートフォン４のアドレスとが同じである場合、A2DP（Advanced Audio Distribution Profile）を切断し、BT（無線通信）機能をオフとし、待機状態にする。
【００３０】
図３に示すように、最後に再生していたスピーカー装置２のＣＰＵは、BLEのアドバタイズで、再生していた旨と、スピーカー装置２のアドレスと、接続していたスマートフォン４のアドレスと、を通知する。ヘッドホン装置３のＣＰＵは、スピーカー装置２から、再生していた旨と、スピーカー装置２のアドレスと、接続していたスマートフォン４のアドレスと、を受信した場合、BT（無線通信）機能をオンとする。そして、ヘッドホン装置３のＣＰＵは、スマートフォン４とBT接続し、スマートフォン４から送信される音声を再生する。
【００３１】
図４に示すように、ヘッドホン装置３がユーザーの頭部から取り外された場合、ヘッドホン装置３のセンサーは、ヘッドホン装置３のユーザーの頭部からの取り外しを検出する。センサーがヘッドホン装置３のユーザーの頭部からの取り外しを検出すると、ヘッドホン装置３のＣＰＵは、取り外しの旨と、接続していたスマートフォン４のアドレスと、スピーカー装置２から受信したスピーカー装置２のアドレスと、をBLEのアドバタイズで通知する。ＣＰＵは、A2DPを切断し、BT（無線通信）機能をオフとする。スピーカー装置２のＣＰＵは、ヘッドホン装置３から、取り外しの旨と、自装置２のアドレスと、接続していたスマートフォン４のアドレスと、を受信した場合、BT（無線通信）機能がオフで、待機中であるならば、BT（無線通信）機能をオンとする。そして、スピーカー装置２のＣＰＵは、スマートフォン４とBT接続し、スマートフォン４から送信される音声を再生する。
【００３２】
ヘッドホン装置３の処理動作を図５に示すフローチャートに基づいて説明する。ヘッドホン装置３のＣＰＵは、センサーが、ヘッドホン装置３のユーザーの頭部への取り付けを検出したか否かを判断する（Ｓ１）。ＣＰＵは、センサーが、ヘッドホン装置３のユーザーの頭部への取り付けを検出していないと判断している間は（Ｓ１：Ｎｏ）、Ｓ１の処理を繰り返し実行する。ＣＰＵは、センサーが、ヘッドホン装置３のユーザーの頭部への取り付けを検出したと判断した場合（Ｓ１：Ｙｅｓ）、取り付けの旨と、ペアリング済のスマートフォン４のアドレスと、のアドバタイズを送信する（Ｓ２）。
【００３３】
次に、ＣＰＵは、スピーカー装置２から送信されるアドバタイズを受信したか否かを判断する（Ｓ３）。ＣＰＵは、スピーカー装置２から送信されるアドバタイズを受信していないと判断している間は（Ｓ３：Ｎｏ）、Ｓ３の処理を繰り返し実行する。ＣＰＵは、スピーカー装置２から送信されるアドバタイズを受信したと判断した場合（Ｓ３：Ｙｅｓ）、受信したスマートフォン４のアドレスと、ペアリング済のスマートフォン４のアドレスと、が一致するか否かを判断する（Ｓ４）。ＣＰＵは、受信したスマートフォン４のアドレスと、ペアリング済のスマートフォン４のアドレスと、が一致しないと判断した場合（Ｓ４：Ｎｏ）、Ｓ３の処理を実行する。ＣＰＵは、受信したスマートフォン４のアドレスと、ペアリング済のスマートフォン４のアドレスと、が一致すると判断した場合（Ｓ４：Ｙｅｓ）、受信したスピーカー装置２のアドレスを保存する（Ｓ５）。
【００３４】
次に、ＣＰＵは、BT機能をオンし、スマートフォン４とBT接続を開始して、再生を開始する（Ｓ６）。次に、ＣＰＵは、センサーが、ヘッドホン装置３のユーザーの頭部からの取り外しを検出したか否かを判断する（Ｓ７）。ＣＰＵは、センサーが、ヘッドホン装置３のユーザーの頭部からの取り外しを検出していないと判断している間は（Ｓ７：Ｎｏ）、Ｓ７の処理を繰り返し実行する。ＣＰＵは、センサーが、ヘッドホン装置３のユーザーの頭部からの取り外しを検出したと判断した場合（Ｓ７：Ｙｅｓ）、BT機能をオフし、スマートフォン４との接続を切断する（Ｓ８）。次に、ＣＰＵは、取り外しの旨と、接続していたスマートフォン４のアドレスと、保存したスピーカー装置２のアドレスと、のアドバタイズを送信する（Ｓ９）。次に、ＣＰＵは、休止し（Ｓ１０）、Ｓ１の処理に戻る。
【００３５】
スピーカー装置２の処理動作を図６に示すフローチャートに基づいて説明する。スピーカー装置２のＣＰＵは、スマートフォン４とBT接続し、再生を開始する（Ｓ２１）。ＣＰＵは、ヘッドホン装置３から送信される取り付け検出のアドバタイズを受信したか否かを判断する（Ｓ２２）。ＣＰＵは、ヘッドホン装置３から送信される取り付け検出のアドバタイズを受信していないと判断している間は（Ｓ２２：Ｎｏ）、Ｓ２２の処理を繰り返し実行する。ＣＰＵは、ヘッドホン装置３から送信される取り付け検出のアドバタイズを受信したと判断した場合（Ｓ２２：Ｙｅｓ）、受信したスマートフォン４のアドレスと、ペアリング済のスマートフォン４のアドレスと、が一致するか否かを判断する（Ｓ２３）。
【００３６】
ＣＰＵは、受信したスマートフォン４のアドレスと、ペアリング済のスマートフォン４のアドレスと、が一致しないと判断した場合（Ｓ２３：Ｎｏ）、Ｓ２２の処理を実行する。ＣＰＵは、受信したスマートフォン４のアドレスと、ペアリング済のスマートフォン４のアドレスと、が一致すると判断した場合（Ｓ２３：Ｙｅｓ）、BT機能をオフし、スマートフォン４との接続を切断する（Ｓ２４）。次に、ＣＰＵは、スピーカー装置２のアドレスと、接続していたスマートフォン４のアドレスと、のアドバタイズを送信する（Ｓ２５）。次に、ＣＰＵは、ヘッドホン装置３から送信される取り外し検出のアドバタイズを受信したか否かを判断する（Ｓ２６）。
【００３７】
ＣＰＵは、ヘッドホン装置３から送信される取り外し検出のアドバタイズを受信していないと判断している間は（Ｓ２６：Ｎｏ）、Ｓ２６の処理を繰り返し実行する。次に、ＣＰＵは、ヘッドホン装置３に指定されたアドレス（ヘッドホン装置３から受信したアドレス）が、自装置２のアドレスと一致するか否かを判断する（Ｓ２７）。ＣＰＵは、指定されたアドレスが、自装置２のアドレスと一致しないと判断した場合（Ｓ２７：Ｎｏ）、Ｓ２６の処理を実行する。ＣＰＵは、指定されたアドレスが、自装置２のアドレスと一致すると判断した場合（Ｓ２７：Ｙｅｓ）、Ｓ２１の処理を実行する。すなわち、ＣＰＵは、スマートフォン４とBT接続し、再生を開始する（Ｓ２１）。
【００３８】
以上説明したように、本実施形態では、ヘッドホン装置３のＣＰＵは、センサーが、ヘッドホン装置３の取り付けを検出した場合、取り付けの旨と、ヘッドホン装置３がペアリング済のスマートフォン４のアドレスと、をアドバタイズする。従って、取り付けの旨と、ヘッドホン装置３がペアリング済のスマートフォン４のアドレスと、を受信したスピーカー装置２は、受信したアドレスと、アドレスが同じスマートフォン４との接続を解除することができる。これにより、ヘッドホン装置３は、ペアリング済のスマートフォン４と接続を行うことができる。このため、ユーザーに面倒であると感じさせることなく、接続先を切り替えることができる。
【００３９】
また、本実施形態では、ヘッドホン装置３のＣＰＵは、アドバタイズ後、BT（無線通信）機能をオンとする。これにより、ペアリング済のスマートフォン４と接続することができる。
【００４０】
また、本実施形態では、ヘッドホン装置３のＣＰＵは、センサーが、ヘッドホン装置３の取り外しを検出した場合、取り外しの旨と、スピーカー装置２から受信したスピーカー装置２のアドレスと、接続していたスマートフォン４のアドレスと、をアドバタイズする。従って、取り外しの旨と、スピーカー装置２から受信したスピーカー装置２のアドレスと、接続していたスマートフォン４のアドレスと、を受信したスピーカー装置２は、自装置２のアドレスと受信したスピーカー装置２のアドレスとが同じであり、自装置２がペアリング済のスマートフォン４のアドレスと受信したスマートフォン４のアドレスが同じであれば、ペアリング済のスマートフォン４と接続を行うことができる。このため、ユーザーに面倒であると感じさせることなく、接続先を切り替えることができる。
【００４１】
また、本実施形態では、スピーカー装置２のＣＰＵは、ヘッドホン装置３から、取り付けの旨と、ヘッドホン装置３がペアリング済のスマートフォン４のアドレスと、を受信し、受信したスマートフォン４のアドレスと接続しているスマートフォン４のアドレスとが同じである場合、BT機能をオフとする。これにより、ヘッドホン装置３は、ペアリング済のスマートフォン４と接続を行うことができる。このため、ユーザーに面倒であると感じさせることなく、接続先を切り替えることができる。
【００４２】
また、本実施形態では、ヘッドホン装置３のＣＰＵは、センサーが、ヘッドホン装置３の取り付けを検出した場合、取り付けの旨と、ヘッドホン装置３がペアリング済のスマートフォン４のアドレスと、をアドバタイズする。また、スピーカー装置２のＣＰＵは、ヘッドホン装置３から、取り付けの旨と、ヘッドホン装置３がペアリング済のスマートフォン４のアドレスと、を受信し、受信したスマートフォン４のアドレスと接続しているスマートフォン４のアドレスとが同じである場合、BT機能をオフとする。これにより、ヘッドホン装置３は、スピーカー装置２との接続が解除された、ペアリング済のスマートフォン４と接続を行うことができる。このため、ユーザーに面倒であると感じさせることなく、接続先を切り替えることができる。
【００４３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４４】
上述の実施形態においては、再生システム１を構成する再生装置として、スピーカー装置２とヘッドホン装置３とを例示した。これに限らず、再生システムは、再生装置としてのスピーカー装置のみ、ヘッドホン装置のみから構成されていてもよい。
【産業上の利用可能性】
【００４５】
本発明は、スピーカー装置、ヘッドホン装置等の再生装置、及び、再生システムに好適に採用され得る。
【符号の説明】
【００４６】
１  再生システム
２  スピーカー装置（第２再生装置）
３  ヘッドホン装置（第１再生装置）
４  スマートフォン（機器）
【図１】
2020184680.tif 000003
【図２】
2020184680.tif 000004
【図３】
2020184680.tif 000005
【図４】
2020184680.tif 000006
【図５】
2020184680.tif 000007
【図６】
2020184680.tif 000008